(57)【要約】  【課題】  高分子結晶を簡単に製造することが可能であり、また高分子の結晶条件を簡単にスクリーニングすることが可能である容器を提供する。【解決手段】  高分子溶液１２を入れる第１の部屋１１と、高分子溶液１２における高分子以外の成分のみが前記高分子溶液１２より高濃度で溶解しているリザーバー溶液１４を入れる第２の部屋１３と、前記第１の部屋１１と前記第２の部屋１３と連通し、気体が通過可能な通路とを有する容器１において、前記第１の部屋１１の一部若しくは全部が、前記高分子溶液１２にレーザー光線１７を照射可能なように透明若しくは半透明にする。レーザー光１７の照射により、結晶核の生成が促進される。【選択図】  図１
2004307335.tif 000002
【特許請求の範囲】
【請求項１】
高分子結晶の製造に使用する容器若しくは高分子の結晶条件のスクリーニングに使用する容器であって、１または複数の高分子溶液貯留部と、前記高分子溶液の溶媒を吸着する物体を配置する部位とを有し、前記高分子溶液貯留部と前記溶媒吸着物体との間は気体が通過可能であり、かつ、高分子の結晶化条件を適宜設定可能な容器。
【請求項２】
前記高分子溶液貯留部となる第１の部屋と、前記溶媒吸着物体配置部位となる第２の部屋と、前記第１の部屋および前記第２の部屋と連通し、気体が通過可能な通路とを有し、前記第１の部屋の一部若しくは全部が、前記高分子溶液にレーザー光線を照射可能なように透明若しくは半透明である請求項１記載の容器。
【請求項３】
前記高分子溶液貯留部となる第１の部屋と、前記溶媒吸着物体配置部位となる第２の部屋と、前記第１の部屋および前記第２の部屋と連通し、気体が通過可能な通路とを有し、前記第１の部屋が複数あり、これが複数の前記通路により一つ以上の前記第２の部屋と連通しており、前記複数の通路において、それぞれ、通路径若しくは通路長の少なくとも一つが異なる請求項１記載の容器。
【請求項４】
前記第１の部屋の一部若しくは全部が、前記高分子溶液にレーザー光線を照射可能なように透明若しくは半透明である請求項３記載の容器。
【請求項５】
前記高分子溶液貯留部となる第１の部屋と、前記溶媒吸着物体配置部位となる第２の部屋とを有し、前記第１の部屋には、前記高分子溶液より比重が重たくかつ前記高分子溶液と混合しない非混合性高比重液をさらに入れることが可能であり、前記第２の部屋の中に前記第１の部屋が形成され、前記第１の部屋において、下部の大容積部と、これより容積が小さい上部の小容積部とを有し、この上部先端は開口して前記両部屋の間は気体が通過可能であり、少なくとも前記第１の部屋の上部もしくは先端開口部に高分子溶液を保持する請求項１記載の容器。
【請求項６】
前記第１の部屋において、前記下部の大容積部の形状が逆円錐台若しくは逆角錐状台であり、前記上部の小容積部の形状が円筒若しくは角筒であり、前記両者が連結している請求項５記載の容器。
【請求項７】
前記第１の部屋において、前記上部の小容積部の先端開口の上に高分子溶液の液滴を形成し、この状態で、前記高分子溶液の溶媒を蒸発させる請求項６記載の容器。
【請求項８】
前記容器の一部若しくは全部が、前記高分子溶液にレーザー光線を照射可能なように透明若しくは半透明である請求項５〜７のいずれかに記載の容器。
【請求項９】
前記容器内部底面の上に複数の段が階段状に形成されており、この複数の段と前記容器内部底面との間は気体が通過可能であり、前記複数の段は、少なくとも一つの段の上面に高分子溶液を保持して前記高分子溶液貯留部とすることが可能であり、かつ、前記容器内部底面の上を前記溶媒吸着物体配置部位とすることが可能である請求項１記載の容器。
【請求項１０】
前記容器の一部若しくは全部が、前記高分子溶液にレーザー光線を照射可能なように透明若しくは半透明である請求項９に記載の容器。
【請求項１１】
前記高分子が、樹脂、タンパク質、糖類、脂質および核酸からなる群から選択される少なくとも一つである請求項１〜１０のいずれかに記載の容器。
【請求項１２】
前記溶媒吸着物体が、高分子溶液における高分子以外の成分のみが前記高分子溶液より高濃度で溶解しているリザーバー溶液である請求項１〜１１のいずれかに記載の容器。
【請求項１３】
高分子結晶の製造に使用するプレート若しくは高分子の結晶条件のスクリーニングに使用するプレートであって、請求項１〜１２のいずれかに記載の容器が、複数形成されたプレート。
【請求項１４】
前記高分子が、樹脂、タンパク質、糖類、脂質および核酸からなる群から選択される少なくとも一つである請求項１３記載のプレート。
【請求項１５】
高分子結晶の製造方法であって、請求項５〜８のいずれかに記載の容器において、前記第２の部屋の上部から吊り下がるように高分子溶液を保持し、かつ、前記第１の部屋および前記第２の部屋の少なくとも一方に、前記高分子溶液の溶媒を吸着する物体を入れる製造方法。
【請求項１６】
前記溶媒吸着物体が、高分子溶液における高分子以外の成分のみが前記高分子溶液より高濃度で溶解しているリザーバー溶液である請求項１５記載の製造方法。
【請求項１７】
さらに、前記第１の部屋および前記第２の部屋の少なくとも一方に、前記リザーバー溶液より比重が重たくかつ前記リザーバー溶液と混合しない非混合性高比重液を入れる請求項１６記載の製造方法。
【請求項１８】
高分子の結晶条件のスクリーニング方法であって、請求項５〜８のいずれかに記載の容器において、前記第２の部屋の上部から吊り下がるように高分子溶液を保持し、かつ、前記第１の部屋および前記第２の部屋の少なくとも一方に、前記高分子溶液の溶媒を吸着する物体を入れる方法。
【請求項１９】
前記溶媒吸着物体が、高分子溶液における高分子以外の成分のみが前記高分子溶液より高濃度で溶解しているリザーバー溶液である請求項１８記載の方法。
【請求項２０】
さらに、前記第１の部屋および前記第２の部屋の少なくとも一方に、前記リザーバー溶液より比重が重たくかつ前記リザーバー溶液と混合しない非混合性高比重液を入れる請求項１９記載の方法。
【請求項２１】
高分子結晶の製造方法であって、請求項９または１０記載の容器において、前記容器内部底面が上に、上面が下にくるように上下逆に配置し、前記容器内部底面および前記複数の段のうち少なくとも一つの上面から吊り下がるように高分子溶液を保持するとともに、前記容器内部上面の上に、前記高分子溶液の溶媒を吸着する物体を入れる製造方法。
【請求項２２】
前記溶媒吸着物体が、高分子溶液における高分子以外の成分のみが前記高分子溶液より高濃度で溶解しているリザーバー溶液である請求項２１記載の製造方法。
【請求項２３】
高分子の結晶条件のスクリーニング方法であって、請求項９または１０記載の容器において、前記容器内部底面が上に、上面が下にくるように上下逆に配置し、前記容器内部底面および前記複数の段のうち少なくとも一つの上面から吊り下がるように高分子溶液を保持するとともに、前記容器内部上面の上に、前記高分子溶液の溶媒を吸着する物体を入れる方法。
【請求項２４】
前記溶媒吸着物体が、高分子溶液における高分子以外の成分のみが前記高分子溶液より高濃度で溶解しているリザーバー溶液である請求項２３記載の方法。
【発明の詳細な説明】
【技術分野】
【０００１】
本発明は、高分子結晶の製造に使用する容器若しくは高分子の結晶条件のスクリーニングに使用する容器に関する。
【背景技術】
【０００２】
ポストゲノム研究の進展により、タンパク質の構造解析が急務になってきているが、そのためには、タンパク質を結晶化する必要がある。また、有機結晶は、次世代デバイス材料として有望視されており、その高品質結晶製造技術のニーズが高い。一般に、溶液から結晶を析出させるためには、溶媒蒸発や温度変化などにより過飽和度を大きくする必要がある。しかし、有機物やタンパク質等のように分子量が大きい物質は、過飽和度を極めて大きくしないと結晶化しない。また、このような極めて大きな過飽和度の溶液では、一度結晶化が起こると、結晶が急成長するため、得られる結晶の品質に問題があるおそれがある。また、このような高分子量物質の結晶化は、一般に困難であり、生産性が悪かった。通常、結晶化の条件は、実際に結晶化を試みて、試行錯誤の結果、決定されるが、これでは、タンパク質や有機物等のように、結晶化が必要不可欠な物質では、煩雑すぎて、実用的ではない。
【発明の開示】
【発明が解決しようとする課題】
【０００３】
本発明は、このような事情に鑑みなされたもので、高分子結晶を簡単に製造に可能な容器若しくは高分子の結晶条件を簡単にスクリーニングすることが可能な容器の提供を、その目的とする。
【課題を解決するための手段】
【０００４】
前記目的を達成するために、本発明は、高分子結晶の製造に使用する容器若しくは高分子の結晶条件のスクリーニングに使用する容器であって、１または複数の高分子溶液貯留部と、前記高分子溶液の溶媒を吸着する物体を配置する部位とを有し、前記高分子溶液貯留部と前記溶媒吸着物体との間は気体が通過可能であり、かつ、高分子の結晶化条件を適宜設定可能な容器を提供する。高分子の結晶化条件としては、例えば前記高分子溶液の溶媒の蒸気拡散条件がある。
【０００５】
前記溶媒吸着物体は、例えば五酸化リン、シリカゲル等の吸湿性固体であってもよいし、蒸気が表面に凝結または昇華する冷却プローブ等であってもよいが、高分子溶液における高分子以外の成分のみが前記高分子溶液より高濃度で溶解しているリザーバー溶液が好ましい。また、前記高分子溶液および前記リザーバー溶液の配置形態は特に制限されず、これら溶液の下および側面が囲われていてもよいし、平面の上面または下面にこれら溶液の液滴を付着させて保持する形態でもよい。
【０００６】
このような本発明の容器としては、例えばつぎの４つの種類の容器が好ましい。
【０００７】
本発明の第１の容器は、前記高分子溶液貯留部となる第１の部屋と、前記溶媒吸着物体配置部位となる第２の部屋と、前記第１の部屋および前記第２の部屋と連通し、気体が通過可能な通路とを有し、前記第１の部屋の一部若しくは全部が、前記高分子溶液にレーザー光線を照射可能なように透明若しくは半透明である。
【０００８】
この容器は、いわゆる蒸気拡散法により高分子溶液の溶媒の蒸発を促進し、高分子結晶の生成を促進するものであるが、高分子溶液が入っている第１の部屋にレーザー光を照射することにより、強制的に結晶核を生成させたり、結晶化条件をスクリーニングしたりするものである。
【０００９】
また、前記第１の容器を１つのプレート内に複数形成してもよい。
【００１０】
本発明の第２の容器は、前記高分子溶液貯留部となる第１の部屋と、前記溶媒吸着物体配置部位となる第２の部屋と、前記第１の部屋および前記第２の部屋と連通し、気体が通過可能な通路とを有し、前記第１の部屋が複数あり、これが複数の前記通路により一つ以上の前記第２の部屋と連通しており、前記複数の通路において、それぞれ、通路径若しくは通路長の少なくとも一つが異なる。
【００１１】
この容器は、いわゆる蒸気拡散法により高分子溶液の溶媒の蒸発を促進し、高分子結晶の生成を促進するものであるが、前記複数の通路において、通路径および通路長のいずれか若しくは双方がそれぞれ異なるため、複数の蒸気拡散条件を同時に設定することができ、結晶化の最適条件をスクリーニングしたり、その条件で結晶を生成させるものである。
【００１２】
前記第２の容器において、前記第１の部屋の一部若しくは全部は、前記高分子溶液にレーザー光線を照射可能なように透明若しくは半透明であることがより好ましい。また、前記第２の容器を、１つのプレート内に複数形成してもよい。
【００１３】
本発明の第３の容器は、前記高分子溶液貯留部となる第１の部屋と、前記溶媒吸着物体配置部位となる第２の部屋とを有し、前記第１の部屋には、前記高分子溶液より比重が重たくかつ前記高分子溶液と混合しない非混合性高比重液をさらに入れることが可能であり、前記第２の部屋の中に前記第１の部屋が形成され、前記第１の部屋において、下部の大容積部と、これより容積が小さい上部の小容積部とを有し、この上部先端は開口して前記両部屋の間は気体が通過可能であり、少なくとも前記第１の部屋の上部もしくは先端開口部に高分子溶液を保持する。
【００１４】
この容器は、いわゆる蒸気拡散法により高分子溶液の溶媒の蒸発を促進し、かつ高分子溶液と非混合性高比重液との界面で高分子結晶の生成を促進するものであるが、前記第１の部屋の前記小容積部もしくは先端開口部に高分子溶液を保持するため、高分子溶液は少量であってもよい。また、前記第１の部屋の前記大容積部に位置する非混合性高比重液を、例えば、マグネットスターラー等で攪拌すれば、間接的に高分子溶液を攪拌することができ、さらに結晶化を促進させることが可能である。
【００１５】
前記第３の容器の前記第１の部屋において、前記下部の大容積部の形状が逆円錐台若しくは逆角錐状台であり、前記上部の小容積部の形状が円筒若しくは角筒であり、前記両者が連結していることがより好ましい。このような形状であれば、前記第１の部屋において、前記上部の小容積部の先端開口の上に高分子溶液の液滴を形成し、この状態で、前記高分子溶液の溶媒を蒸発させることが可能である。なお、前記第３の容器の一部若しくは全部は、前記高分子溶液にレーザー光線を照射可能なように透明若しくは半透明であることがより好ましい。また、前記第３の容器を１つのプレート内に複数形成してもよい。
【００１６】
また、本発明の第３の容器は、いわゆるハンギングドロップ法による高分子結晶の製造または高分子の結晶条件のスクリーニングに使用することもできる。すなわち、本発明の第３の容器を使用した高分子結晶の製造方法または高分子の結晶条件のスクリーニング方法は、前記第３の容器において、前記第２の部屋の上部から吊り下がるように高分子溶液を保持し、かつ、前記第１の部屋および前記第２の部屋の少なくとも一方に、前記高分子溶液の溶媒を吸着する物体を入れる高分子結晶の製造方法または高分子の結晶条件のスクリーニング方法であってもよい。このとき、前記溶媒吸着物体は、高分子溶液における高分子以外の成分のみが前記高分子溶液より高濃度で溶解しているリザーバー溶液が好ましく、さらに、前記第１の部屋および前記第２の部屋の少なくとも一方に、前記リザーバー溶液より比重が重たくかつ前記リザーバー溶液と混合しない非混合性高比重液を入れてもよい。
【００１７】
本発明の第４の容器は、前記容器内部底面の上に複数の段が階段状に形成されており、この複数の段と前記容器内部底面との間は気体が通過可能であり、前記複数の段は、少なくとも一つの段の上面に高分子溶液を保持して前記高分子溶液貯留部とすることが可能であり、かつ、前記容器内部底面の上を前記溶媒吸着物体配置部位とすることが可能である。
【００１８】
この容器は、いわゆる蒸気拡散法により高分子溶液の溶媒の蒸発を促進し、高分子結晶の生成を促進するものであるが、前記複数の段において、前記溶媒吸着物体表面との距離がそれぞれ異なるため、複数の蒸気拡散条件を同時に設定することができ、結晶化の最適条件をスクリーニングしたり、その条件で結晶を生成させるものである。なお、前記第４の容器の一部若しくは全部は、前記高分子溶液にレーザー光線を照射可能なように透明若しくは半透明であることがより好ましい。また、前記第４の容器を、１つのプレート内に複数形成してもよい。
【００１９】
また、本発明の第４の容器は、いわゆるハンギングドロップ法による高分子結晶の製造または高分子の結晶条件のスクリーニングに使用することもできる。すなわち、本発明の第４の容器を使用した高分子結晶の製造方法または高分子の結晶条件のスクリーニング方法は、前記第４の容器において、前記容器内部底面が上に、上面が下にくるように上下逆に配置し、前記容器内部底面および前記複数の段のうち少なくとも一つの上面から吊り下がるように高分子溶液を保持するとともに、前記容器内部上面の上に、前記高分子溶液の溶媒を吸着する物体を入れる高分子結晶の製造方法または高分子の結晶条件のスクリーニング方法であってもよい。このとき、前記溶媒吸着物体は、高分子溶液における高分子以外の成分のみが前記高分子溶液より高濃度で溶解しているリザーバー溶液が好ましい。
【００２０】
本発明において、前記高分子は、特に制限されず、例えば、樹脂、タンパク質、糖類、脂質および核酸等があり、このなかで、タンパク質の結晶化について本発明の容器を適用することが好ましい。タンパク質としては、例えば、ニワトリ卵白リゾチーム、ヒトリゾチーム、グルコースイソメラーゼ、キシラーナーゼ、ホスホエノールピルビン酸カルボキシラーゼ、リボヌクレア−ゼ、プロスタグランジン合成酵素、膜融合タンパク質AcrA、膜輸送体タンパク質AcrBなどが挙げられる。
【発明の効果】
【００２１】
これら本発明の容器によれば、高分子結晶を簡単に製造することが可能であり、また高分子の結晶条件を簡単にスクリーニングすることが可能である。したがって、本発明の容器を、例えば、タンパク質の結晶化に用いれば、効率よく結晶化することができ、その結果、タンパク質の構造解析も効率よく行うことができる。
【発明を実施するための最良の形態】
【００２２】
つぎに、本発明の容器の例について、図に基づき説明する。
【００２３】
（実施形態１）
図１の断面図に、本発明の第１の容器の一例を示す。図示のように、この容器１は、第１の部屋１１と第２の部屋１３を有し、前記両部屋は、通路で連通している。この容器１の上部は、蓋体１６で覆われて密閉状態となっており、また前記容器１の底部１５は、レーザー光１７が透過できるように、前記第１の部屋に該当する部分が透明若しくは半透明になっている。この底の部分の材質は、レーザー光を通せば、特に制限されず、例えば、アクリル樹脂等の透明樹脂、石英ガラス、ガラス等の透明部材が使用できる。また、その他の部分の部材は、特に制限されず、一般の樹脂やガラス等が使用できる。この容器全体の大きさは、特に制限されず、例えば、縦２０〜１８０ｍｍ×横１０〜１２０ｍｍ×高さ３〜５０ｍｍ、好ましくは、縦４０〜１５０ｍｍ×横２０〜１００ｍｍ×高さ５〜３０ｍｍ、より好ましくは縦５０〜１３０ｍｍ×横３０〜８０ｍｍ×高さ１０〜２０ｍｍである。第１の部屋１１には、タンパク質溶液等の高分子溶液１２が入れられ、第２の部屋１３には、リザーバー溶液１４が入れられるため、第１の部屋１１は、第２の部屋１３の部屋より小さいほうがよい。この容器１は、例えば、つぎのようにして使用される。
【００２４】
まず、蓋体１６を外して、第１の部屋１１にタンパク質溶液等の高分子溶液１２を入れ、第２の部屋１３にリザーバー溶液１４を入れ、蓋体１６で蓋をして密閉する。すると、同図において矢印で示すように、高分子溶液１２から発生した蒸気が通路を通って第２の部屋１３に移行し、これによって高分子溶液１２の溶媒の蒸発が促進される。そして、高分子溶液１２が過飽和状態になったら、結晶核を強制的に生成させるため、容器１の底部から、例えば、パルスレーザー光１７を高分子溶液に１２に照射する。結晶核が生成すれば、そのまま、結晶を成長させればよいし、結晶核が生成しなければ、その条件は、結晶化に不適と判断して、別の条件で結晶化を試みればよい。
【００２５】
このように、パルスレーザーを照射して結晶核の生成を観察し、結晶核が生成すれば、その溶液等の条件は、結晶化に適していると判断できるし、そのまま育成すれば結晶が得られる。また、パルスレーザーを照射して溶質の状態を観察し、溶質が変化していれば、その溶液等の条件は結晶化に適していると判断できる。前記溶質の変化は、タンパク質の場合、例えば、立体構造の変化（変性）である。
【００２６】
過飽和溶液に、レーザー、特にパルスレーザーを照射すれば、結晶核が生成するが、そのメカニズムは不明である。これについて、本発明者等は、以下のように推測している。すなわち、パルスレーザーの焦点では、高密度の光子が集中するために、一つの溶質分子もしくは溶媒分子に光子が数個衝突し、それらが光を吸収する現象（多光子吸収）が高い確率で起こる。その結果として、パルスレーザーを集光した時、その焦点で急激な光吸収による爆発現象（レーザーアブレーション）が誘起される。結晶核生成は、これが摂動となり起こると考えられる。そして、その後のメカニズムとしては、下記の３つが考えられる。
【００２７】
(1) パルスレーザーにより光熱変換が引き起こされ焦点付近の溶液が瞬間的に蒸発し、溶質の濃縮が起こった結果として結晶核が生成する。
(2) パルスレーザーが誘起するアブレーションにより衝撃波が発生し、それにより溶液が局所的に揺らされた結果として結晶核が生成する。
(3)レーザーの強度が強くなると溶液中で誘導散乱が引き起こされ、溶液中に濃度勾配が生成し、結晶核が生成する。
【００２８】
本発明において、パルスレーザーの光密度（光子流量：photon flux）は、例えば、５×１０5（watt）以上であり、好ましくは２×１０9（watt）以上である。パルスレーザーの光密度の上限は、特に制限されないが、例えば、１０18（watt）以下であり、好ましくは１０15（watt）以下であり、より好ましくは１０12（watt）以下である。
【００２９】
レーザー光強度（Ｗ）および時間幅（Δｔ）の積が、光密度（Ｉ）であるから、レーザーの条件は、時間幅によって、例えば、以下のように設定することができる。なお、パルスレーザーは、例えば、ピコ秒パルスレーザーおよびフェムト秒パルスレーザーがあり、このなかで、フェムト秒レーザーが特に好ましい。
【００３０】
（ナノ秒パルスレーザー）
パルス時間幅    レーザー光強度Ａ    レーザー光強度Ｂ
（秒）          （J/pulse）          (J/pulse)       
一般的範囲        10-6〜10-9        0.5〜0.5×10-3          2×103〜2
好ましい範囲      10-8〜10-9      0.5×10-2〜0.5×10-3      2×10〜2       
レーザー光強度Ａ：光密度（Ｉ）＝５×１０5（ｗａｔｔ）以上の場合
レーザー光強度Ｂ：光密度（Ｉ）＝２×１０9（ｗａｔｔ）以上の場合
【００３１】
（ピコ秒パルスレーザー）
パルス時間幅    レーザー光強度Ａ    レーザー光強度Ｂ
（秒）          （J/pulse）          (J/pulse)       
一般的範囲        10-9〜10-12    0.5×10-3〜0.5×10-6      2〜2×10-3
好ましい範囲      10-11〜10-12    0.5×10-5〜0.5×10-6    2×10-2〜2×10-3
レーザー光強度Ａ：光密度（Ｉ）＝５×１０5（ｗａｔｔ）以上の場合
レーザー光強度Ｂ：光密度（Ｉ）＝２×１０9（ｗａｔｔ）以上の場合
【００３２】
（フェムト秒パルスレーザー）
パルス時間幅    レーザー光強度Ａ    レーザー光強度Ｂ
（秒）          （J/pulse）          (J/pulse)       
一般的範囲        10-12〜10-15    0.5×10-6〜0.5×10-9    2×10-3〜2×10-6
好ましい範囲      10-13〜10-15    0.5×10-7〜0.5×10-9    2×10-4〜2×10-6
レーザー光強度Ａ：光密度（Ｉ）＝５×１０5（ｗａｔｔ）以上の場合
レーザー光強度Ｂ：光密度（Ｉ）＝２×１０9（ｗａｔｔ）以上の場合
【００３３】
パルスレーザーは、単発で照射してもよいし、複数発繰り返して照射してもよい。パルスレーザーの照射回数は、特に制限されないが、例えば、１発（単発）から１０００万発の範囲である。また、繰り返し複数発照射する場合のレーザー繰り返し周波数は、例えば、１／１０００００００Ｈｚ〜１ｋＨｚの範囲である。照射時間も特に制限されず、例えば、１秒から１時間の範囲である。
【００３４】
パルスレーザーの具体例としては、例えば、フェムト秒チタンサファイアレーザー、フェムト秒ファイバーレーザー、ナノ秒・ピコ秒Ｎｄ3+：ＹＡＧレーザー、ナノ秒・ピコ秒Ｎｄ3+：ＶＹＯ4レーザー、エキシマレーザーおよびアレクサンドライトレーザー等がある。
【００３５】
これらのレーザーの条件などは、本発明の他の容器若しくはプレートでも共通である。
【００３６】
（実施形態２）
つぎに、一つのプレート内に前記第１の容器を複数形成した例を、図２の斜視図に示す。
【００３７】
図示のように、このプレート２は、６個の第１の容器２１が形成されており、これは、第１の部屋２１ａと第２の部屋２１ｂを有し、前記両部屋は通路で連通している。また、このプレート２は、前記第１の容器２１が形成されたプレート本体２２、底部２３および蓋体２４とから構成されている。底部２３は、レーザー光２５が照射可能なように透明若しくは半透明部材から形成されている。このプレート２の形成材料および容器２１の大きさ等については、前述の第１の容器と同様である。また、このプレート２の大きさは、特に制限されず、例えば、縦２０〜１８０ｍｍ×横１０〜１２０ｍｍ×高さ３〜５０ｍｍ、好ましくは、縦４０〜１５０ｍｍ×横２０〜１００ｍｍ×高さ５〜４０ｍｍ、より好ましくは縦５０〜１３０ｍｍ×横３０〜８０ｍｍ×高さ１０〜３０ｍｍである。このプレート２において、容器２１の個数は６個であるが、本発明はこれに限定されず、プレートあたり、容器数１〜１５３６個、好ましくは２〜３８４個、より好ましくは４〜９６個である。このプレート２は、例えば、つぎのようにして使用される。
【００３８】
すなわち、まず、容器２１部分の第１の部屋２１ａに高分子溶液を入れ、第２の部屋２１ｂにリザーバー溶液を入れると、蒸気拡散により、高分子溶液の溶媒の蒸発が促進される。そして、高分子溶液が過飽和状態となったら、前述のように、パルスレーザー２５を照射して、結晶核を強制的に生成させる。結晶核が生成したら、これを育成して目的とする高分子結晶を得ることができる。また、結晶核が生成しない場合は、結晶化条件が不適当と判断して、次の条件で結晶化を試みる。このプレートでは、複数の容器が形成されているから、高分子溶液の濃度を変えるなど容器毎に異なる結晶化条件を設定でき、また、容器毎に異なる条件でレーザーを照射できる。
【００３９】
（実施形態３）
つぎに、本発明の第２の容器の一例を図３に示す。同図において、（Ａ）は、平面図であり、（Ｂ）は断面図である。
【００４０】
図示のように、この容器３は、円盤の底に円柱が結合した形状である。前記円盤の周辺部には、円中心から放射状に８個の第１の部屋３１が形成され、前記円柱の中には、１つの第２の部屋３２が形成されており、前記第１の部屋３１のそれぞれから通路３３が延びて、第２の部屋３２と連通している。前記８個の通路３３において、各通路３３は、それぞれ通路径が異なっている。なお、容器本体から蓋体が取り外し可能な構造であれば使用上の便宜の観点から好ましい。この容器３全体の大きさは、特に制限されず、第１の部屋の大きさと個数や、第２の部屋の大きさ等により適宜決定される。前記第１の部屋の大きさは、例えば、内径０．５〜１０ｍｍ、深さ１〜５０ｍｍ、好ましくは、内径１〜５ｍｍ、深さ３〜４０ｍｍ、より好ましくは内径１〜３ｍｍ、深さ３〜３０ｍｍ、であり、第１の部屋の個数は、例えば、１〜１５３６個、好ましくは２〜３８４個、より好ましくは４〜９６個である。前記第２の部屋の大きさは、例えば、内径１〜３０ｍｍ、深さ１〜５０ｍｍ、好ましくは、内径２〜２０ｍｍ、深さ２〜４０ｍｍ、より好ましくは内径３〜１５ｍｍ、深さ３〜３０ｍｍである。前記通路の長さも制限されず、例えば、０．５〜５０ｍｍ、好ましくは１〜３０ｍｍ、より好ましくは１〜２０ｍｍである。また、この通路は、その通路径がそれぞれ異なるが、例えば、０．３〜１０ｍｍ、好ましくは０．５〜５ｍｍ、より好ましくは０．５〜３ｍｍである。この容器３の材質も特に制限されず、例えば、樹脂やガラスなどで構成されるが、第１の部屋にレーザーを照射する場合は、その部分をレーザーが透過するように、前述の透明若しくは半透明部材で構成すればよい。この容器３は、例えば、つぎのようにして使用する。
【００４１】
すなわち、まず、複数の第１の部屋３１に高分子溶液３４を入れ、第２の部屋３２にリザーバー溶液３５を入れると、図中の矢印で示すように、高分子溶液３４から発生した蒸気が通路３３を通り、第２の部屋３２に移動するという蒸気拡散により、高分子溶液３４の溶媒の蒸発が促進される。この蒸気拡散において、通路３３の通路径がそれぞれ異なるため、第１の部屋３３のそれぞれの蒸気拡散条件が異なることになる。したがって、複数の第１の部屋において、結晶核が生成したものは、そのまま育成を続けて目的とする高分子結晶を得ることができる。また、結晶核が生じない第１の部屋は、結晶化条件が不適と判断することができる。さらに、高分子溶液３４が過飽和状態となったら、前述のように、パルスレーザーを照射して、結晶核を強制的に生成させてもよい。結晶核が生成したら、これを育成して目的とする高分子結晶を得ることができる。また、結晶核が生成しない場合は、結晶化条件が不適当と判断して、次の条件で結晶化を試みる。
【００４２】
（実施形態４）
つぎに、本発明の第２の容器のその他の例を図４に示す。同図において、（Ａ）は、平面図であり、（Ｂ）は断面図である。
【００４３】
図示のように、この容器４は、円盤の底に円柱が結合した形状である。前記円盤の周辺部には、円中心から放射状に８個の第１の部屋４１が形成され、前記円柱の中には、１つの第２の部屋４２が形成されており、前記第１の部屋４１のそれぞれから通路４３が延びて、第２の部屋４２と連通している。前記８個の通路４３において、各通路４３は、それぞれ通路長が異なっている。なお、容器本体から蓋体が取り外し可能な構造であれば使用上の便宜の観点から好ましい。この容器４全体の大きさは、特に制限されず、第１の部屋の大きさと個数や、第２の部屋の大きさ等により適宜決定される。前記第１の部屋の大きさは、例えば、内径０．５〜１０ｍｍ、深さ１〜５０ｍｍ、好ましくは、内径１〜５ｍｍ、深さ３〜４０ｍｍ、より好ましくは内径１〜３ｍｍ、深さ３〜３０ｍｍ、であり、第１の部屋の個数は、例えば、１〜１５３６個、好ましくは２〜３８４個、より好ましくは４〜９６個である。前記第２の部屋の大きさは、例えば、内径１〜３０ｍｍ、深さ１〜５０ｍｍ、好ましくは、内径２〜２０ｍｍ、深さ２〜４０ｍｍ、より好ましくは内径３〜１５ｍｍ、深さ３〜３０ｍｍである。前記通路の長さも制限されず、例えば、０．５〜５０ｍｍ、好ましくは１〜３０ｍｍ、より好ましくは１〜２０ｍｍである。また、この通路は、その通路径がそれぞれ異なるが、例えば、０．３〜１０ｍｍ、好ましくは０．５〜５ｍｍ、より好ましくは０．５〜３ｍｍである。この容器４の材質も特に制限されず、例えば、樹脂やガラスなどで構成されるが、第１の部屋にレーザーを照射する場合は、その部分をレーザーが透過するように、前述の透明若しくは半透明部材で構成すればよい。この容器４は、例えば、つぎのようにして使用する。
【００４４】
すなわち、まず、複数の第１の部屋４１に高分子溶液４４を入れ、第２の部屋４２にリザーバー溶液４５を入れると、図中の矢印で示すように、高分子溶液４４から発生した蒸気が通路４３を通り、第２の部屋４２に移動するという蒸気拡散により、高分子溶液４４の溶媒の蒸発が促進される。この蒸気拡散において、通路４３の通路長がそれぞれ異なるため、第１の部屋４３のそれぞれの蒸気拡散条件が異なることになる。したがって、複数の第１の部屋において、結晶核が生成したものは、そのまま育成を続けて目的とする高分子結晶を得ることができる。また、結晶核が生じない第１の部屋は、結晶化条件が不適と判断することができる。さらに、高分子溶液４４が過飽和状態となったら、前述のように、パルスレーザーを照射して、結晶核を強制的に生成させてもよい。結晶核が生成したら、これを育成して目的とする高分子結晶を得ることができる。また、結晶核が生成しない場合は、結晶化条件が不適当と判断して、次の条件で結晶化を試みる。
【００４５】
なお、実施形態３では、通路径を変化させ、実施形態４では、通路長を変化させたが、これらを組み合わせてもよい。また、実施形態３の容器、実施形態４の容器およびこれらの組み合わせの容器の少なくとも一つを、１つのプレート内に複数形成してもよい。このプレートの大きさ等の条件は、例えば、実施形態２のプレートと同様である。
【００４６】
（実施形態５）
つぎに、本発明の第３の容器の一例を、図５に示す。図示のように、この容器５は、大容器５１の中に、小容器５２が配置された構成となっている。大容器５１は、円柱状であり、その上部は、蓋体で蓋がされている。前記小容器５２は、逆円錐台形状本体部（大容積部）と、この本体部分の上部と連結する円筒部（小容積部）とからなり、前記円筒部の先端は開口している。大容器５１の内壁と小容器５２の外壁との間の空間が、リザーバー溶液５４を入れる第２の部屋である。また、小容器５２の内部若しくはその円筒部先端口付近が、高分子溶液５５を入れる若しくは保持する第１の部屋となる。この容器５の大きさは、特に制限されない。前記大容器５１の大きさは、例えば、内径３〜３０ｍｍで深さ５〜１００ｍｍであり、好ましくは、内径５〜２５ｍｍで深さ１０〜５０ｍｍであり、より好ましくは、内径１０〜２０ｍｍで深さ１０〜３０ｍｍである。小容器５２の大きさは、例えば、逆円錐台形状本体部（大容積部）において、最大内径３〜３０ｍｍ、最小内径０．３〜５ｍｍ、高さ４〜９０ｍｍ、前記円筒部（小容積部）において、内径０．３〜５ｍｍ、高さ０．１〜５ｍｍであり、好ましくは、逆円錐台形状本体部（大容積部）において、最大内径５〜２５ｍｍ、最小内径０．５〜３ｍｍ、高さ９〜４５ｍｍ、円筒部（小容積部）において、内径０．５〜３ｍｍ、高さ０．１〜３ｍｍであり、より好ましくは、逆円錐台形状本体部（大容積部）において、最大内径１０〜２０ｍｍ、最小内径１〜２ｍｍ、高さ９〜２５ｍｍ、円筒部（小容積部）において、内径１〜２ｍｍ、高さ０．１〜２ｍｍである。また、容器５の材質は、特に制限されず、例えば、樹脂、ガラス等が使用できる。この容器において、レーザー光を照射する場合は、レーザー光が通過する部分は透明若しくは半透明の部材で構成され、そのような部材としては、前述のものがあげられる。この容器５は、例えば、つぎのようにして使用する。
【００４７】
すなわち、まず、大容器５１（第２の部屋５３）にリザーバー溶液５４を入れ、小容器５２は、非混合性高比重液５６で満たす。また、小容器５２の底部には、マグネット攪拌子７を配置する。そして、小容器５２の円筒部先端に、高分子溶液５５の液滴を配置する。この状態で、容器５をマグネットスターの上に置き、前記攪拌子７を回転させる。このようにすれば、リザーバー溶液５４の作用により、高分子溶液５５からは蒸気の発生が促進される。また、攪拌子７の回転により、非混合性高比重液５６が攪拌され、その振動が高分子溶液５５にも伝わり、間接的に高分子溶液５５も攪拌され、その結果、結晶核の生成が促進される。そして、高分子溶液の結晶核が生成したら、そのまま育成を続け、目的とする結晶を得てもよいし、結晶核が生成しない場合は、その条件は、結晶化条件に不適と判断し、次の条件で結晶化を試みればよい。さらに、過飽和状態になったら、高分子溶液５５に、レーザー光を照射してもよい。また、実施形態５の容器を、１つのプレート内に複数形成してもよい。その条件は、例えば、実施形態２のプレートと同様である。
【００４８】
（実施形態６）
さらに、本発明の第３の容器の使用方法の別の一例を、図６に示す。図示のように、この容器５の構成は実施形態５（図５）とまったく同じであり、その材質、大きさ等も実施形態５と同じでよい。しかし、本実施形態では、容器５を、いわゆるハンギングドロップ法で使用する。以下、図６を参照しながら具体的に説明する。
【００４９】
すなわち、まず、実施形態５と同様に、大容器５１（第２の部屋５３）にリザーバー溶液５４を入れる。そして、高分子溶液５５は、本実施形態では、小容器５２の内部若しくはその円筒部先端口付近に入れる若しくは保持するのではなく、図示の通り、大容器５１の蓋体下面に高分子溶液５５の液滴を付着させて保持する、いわゆるハンギングドロップ法を用いる。このようにすれば、リザーバー溶液５４の作用により、高分子溶液５５からは蒸気の発生が促進される。そして、高分子溶液の結晶核が生成したら、そのまま育成を続け、目的とする結晶を得てもよいし、結晶核が生成しない場合は、その条件は、結晶化条件に不適と判断し、次の条件で結晶化を試みればよい。さらに、過飽和状態になったら、高分子溶液５５に、レーザー光５７を照射してもよい。また、実施形態５と同様に、この容器を、１つのプレート内に複数形成してもよい。その条件は、例えば、実施形態２のプレートと同様である。
【００５０】
さらに、小容器５２内部には、図では何も入れていないが、実施例５と同様に非混合性高比重液５６で満たし、小容器５２の底部にマグネット攪拌子７およびマグネットスターラー６を配置してもよい。また、リザーバー溶液５４を、大容器５１内部に入れる代わりに小容器５２内部に入れてもよい。そして、リザーバー溶液５４の量を変えることにより、リザーバー溶液５４の表面積、リザーバ溶液５４表面と高分子溶液５５との距離、および第２の部屋５３の容積を連続的に変化させ、結晶化条件を適宜設定することもできる。リザーバ溶液５４の量を変えずにその表面積および高分子溶液５５との距離を変えたい場合は、図７に示すようにリザーバー溶液５４の下部を適量の非混合性高比重液５６で満たして調整してもよい。
【００５１】
（実施形態７）
つぎに、本発明の第４の容器の一例を図８に示す。同図において、（Ａ）は、断面図であり、（Ｂ）は上面図である。
【００５２】
図示のように、この容器８０は、容器本体８１、底部８２および蓋体８３とから構成され、底部８２の上面には、複数の段８４が階段状に形成されている。この容器８０の形成材料等は、例えば前述の第１の容器と同様である。底部８２および段８４は、レーザー光８７が照射可能なように透明若しくは半透明部材から形成されていてもよく、その他の部分の部材も特に制限されず、例えば一般の樹脂やガラス等が使用できる。また、この容器８０の大きさは、特に制限されず、例えば、縦１０〜１２０ｍｍ×横２０〜１８０ｍｍ×高さ３〜５０ｍｍ、好ましくは、縦２０〜１００ｍｍ×横４０〜１５０ｍｍ×高さ５〜４０ｍｍ、より好ましくは縦３０〜８０ｍｍ×横５０〜１３０ｍｍ×高さ１０〜３０ｍｍである。この容器８０において、段８４の段数は４段であるが、本発明はこれに限定されず、容器あたり、例えば段数１〜１００段、好ましくは３〜５０段、より好ましくは５〜２０段である。この容器８０は、例えば、つぎのようにして使用される。
【００５３】
すなわち、まず、容器８０内部の下部にリザーバー溶液８６を入れる。リザーバー溶液８６の量は特に制限されないが、階段状に形成された複数の段８４のうち少なくとも一つはリザーバー溶液８６の外に出ている必要がある。次に、段８４のうちリザーバー溶液８６の外に出ている段の上面に高分子溶液８５の液滴を配置すると、蒸気拡散により、高分子溶液の溶媒の蒸発が促進される。さらに、高分子溶液８５が過飽和状態となったら、パルスレーザー８７を照射して、結晶核を強制的に生成させてもよい。照射条件は特に制限されないが、例えば実施形態１と同様である。結晶核が生成したら、これを育成して目的とする高分子結晶を得ることができる。また、結晶核が生成しない場合は、結晶化条件が不適当と判断して、次の条件で結晶化を試みる。
【００５４】
この容器では、高分子溶液８５を配置する段８４が複数形成されているから、どの段に高分子溶液８５を配置するかにより、高分子溶液８５とリザーバー溶液８６表面との距離を調整することができるし、段毎に高分子溶液の濃度を変えたり、１つの段に濃度の異なる高分子溶液の液滴を複数配置するなどして異なる結晶化条件を設定することもできる。そして、リザーバー溶液８６の量を変化させることにより、リザーバー溶液８６の表面積、リザーバ溶液８６表面と高分子溶液５５との距離、および容器８０内部空間の容積を連続的に変化させて結晶化条件を適宜設定することも可能である。リザーバ溶液８６の量を変えずにその表面積および高分子溶液８５との距離を変えたい場合は、図９に示すようにリザーバー溶液８６の下部を適量の非混合性高比重液８８で満たして調整してもよい。また、実施形態７の容器を、１つのプレート内に複数形成してもよい。その条件は、例えば、実施形態２のプレートと同様である。
【００５５】
（実施形態８）
さらに、本発明の第４の容器の使用方法の別の一例を、図１０に示す。図示のように、この容器８０の構成は実施形態７（図８および９）とまったく同じであり、その材質、大きさ等も実施形態７と同じでよいが、本実施形態では、容器８０を上下逆にし、ハンギングドロップ法で使用する。すなわち、まず、容器８０を、蓋体８３が下に、底部８２が上にくるように配置する。次に、容器８０内部の下部にリザーバー溶液８６を入れる。このためには、容器８０の底部８２および段８４が容器本体８１から取り外し可能な構造であり、それらを取り外してからリザーバー溶液８６を入れるようにすれば操作が容易であり好ましい。また、容器本体８１または底部８２の一部にリザーバー溶液８６の注入口が設けられていてもよい。リザーバー溶液８６の量は特に制限されないが、段８４および底部８２を全部浸さない程度の量にする。そして、段８４および底部８２のうち少なくとも一つの下面であってリザーバー溶液８６に浸らない位置に高分子溶液８５の液滴を配置すると、蒸気拡散により、高分子溶液の溶媒の蒸発が促進される。さらに、高分子溶液８５が過飽和状態となったら、パルスレーザー８７を照射して、結晶核を強制的に生成させてもよい。照射条件は特に制限されないが、例えば実施形態１と同様である。結晶核が生成したら、これを育成して目的とする高分子結晶を得ることができる。また、結晶核が生成しない場合は、結晶化条件が不適当と判断して、次の条件で結晶化を試みる。
【００５６】
本実施形態で用いる容器の構成は前記の通り実施形態７と同じである。したがって、どの段に高分子溶液８５を配置するかにより、高分子溶液８５とリザーバー溶液８６表面との距離を調整することができるし、段毎に高分子溶液の濃度を変えたり、１つの段に濃度の異なる高分子溶液の液滴を複数配置するなどして異なる結晶化条件を設定することもできる。そして、リザーバー溶液８６の量を変化させることにより、リザーバー溶液８６の表面積、リザーバ溶液８６表面と高分子溶液５５との距離、および容器８０内部空間の容積を連続的に変化させて結晶化条件を適宜設定することも可能である。リザーバ溶液８６の量を変えずにその表面積および高分子溶液８５との距離を変えたい場合は、実施形態７と同様に、リザーバー溶液８６の下部を適量の非混合性高比重液で満たして調整してもよい。さらに、実施形態７と同様に、この容器を、１つのプレート内に複数形成してもよい。
【産業上の利用可能性】
【００５７】
以上のように、本発明の容器によれば、高分子結晶を簡単に製造することが可能であり、また高分子の結晶条件を簡単にスクリーニングすることが可能である。したがって、本発明の容器を、例えば、タンパク質の結晶化に用いれば、効率よく結晶化することができ、その結果、タンパク質の構造解析も効率よく行うことができる。
【図面の簡単な説明】
【００５８】
【図１】図１は、本発明の容器の一例を示す断面図である。
【図２】図２は、本発明のプレートの一例を示す斜視図である。
【図３】図３は、本発明の容器のその他の例を示す図であり、Ａは平面図、Ｂは断面図である。
【図４】図４は、本発明の容器のさらにその他の例を示す図であり、Ａは平面図、Ｂは断面図である。
【図５】図５は、本発明の容器のさらにその他の例を示す断面図である。
【図６】図６は、図５の容器の使用方法のその他の例を示す断面図である。
【図７】図７は、図５の容器の使用方法のさらにその他の例を示す断面図である。
【図８】図８は、本発明の容器のさらにその他の例を示す図であり、Ａは断面図、Ｂは上面図である。
【図９】図９は、図８の容器の使用方法のその他の例を示す図であり、Ａは断面図、Ｂは上面図である。
【図１０】図１０は、図８の容器の使用方法のさらにその他の例を示す断面図である。
【符号の説明】
【００５９】
１、３，４，５、２１、８０  容器
２、プレート
６  マグネットスターラー
７  マグネット攪拌子
１１、２１ａ、３１、４１  第１の部屋
１３、２１ｂ、３２、４２、５３  第２の部屋
１２、３４、４４、５５、８５  高分子溶液
１４、３５、４５、５４、８６  リザーバー溶液
１５、２３、８２  底部
１６、２４、８３  蓋体
２２  プレート本体
１７、２５、５７、８７  レーザー光
３３、４３  通路
５１  大容器
５２  小容器
５６、８８  非混合性高比重液
８１  容器本体
８４  段
【図１】
2004307335.tif 000003
【図２】
2004307335.tif 000004
【図３】
2004307335.tif 000005
【図４】
2004307335.tif 000006
【図５】
2004307335.tif 000007
【図６】
2004307335.tif 000008
【図７】
2004307335.tif 000009
【図８】
2004307335.tif 000010
【図９】
2004307335.tif 000011
【図１０】
2004307335.tif 000012